(57)【特許請求の範囲】
【請求項１】
軸筒内に複数の筆記体をコイルスプリングにより軸筒後端方向に付勢して配設し、各筆記体の後部に連接した摺動体を、軸筒に設けた摺動溝に摺動自在に収納するとともに、前記摺動体に、前記摺動溝から外方に突出する操作部を一体に形成または付設し、前記操作部を軸筒先端方向にスライドすることにより、筆記体の筆記部の突出を維持し、前記軸筒の後端部にクリップを付設してなるスライド式の多芯筆記具において、前記軸筒の後端部、且つ前記摺動溝と周方向の異なる位置に、長手方向に沿って延びる装着溝を形成し、前記軸筒の後端に、前記装着溝の後方と連通する開口部を設け、前記開口部から、前記クリップの装着部を挿入し、前記クリップの装着部に設けた突起が、前記装着溝に設けた突起と嵌合して、前記装着溝に、クリップを装着するとともに、前記摺動溝間及び装着溝と摺動溝間の軸筒の外面が、略同一円上であり、前記装着溝が、軸線側の幅の大きい大幅部と、外面側の大幅部よりも幅の小さい小幅部と、を段状に形成してあり、前記クリップの装着部が、前記装着溝に対応して、幅の大きい大幅部と大幅部よりも幅の小さい小幅部とを段状に形成し、且つ、前記装着溝の突起が、前記装着溝の大幅部に形成してあることを特徴とするスライド式の多芯筆記具。
【請求項２】
前記クリップにヒンジ部を形成し、該ヒンジ部に、蓋体の一端部に設けた嵌合部を係合するとともに、前記蓋体の嵌合突部を、前記軸筒の後端部に形成した嵌合凸部に、着脱自在に嵌合して前記蓋体を前記軸筒に対し回動自在に配設し、前記軸筒の後端を露出及び閉鎖可能とし、前記軸筒の後端に、前記摺動溝の後方と連通する開口部を設け、前記開口部から、前記摺動体を、軸筒内から取り外し可能及び軸筒内に挿入可能に構成にしたことを特徴とする請求項１に記載のスライド式の多芯筆記具。
【発明の詳細な説明】
【技術分野】
【０００１】
本発明は、軸筒内に複数の筆記体を収容したスライド式の多芯筆記具に関する。
【背景技術】
【０００２】
多芯筆記具において、特開２００３−１１５８３号公報「スライド式の多芯筆記具」では、各筆記体の後部に操作部を設けた摺動体を連接し、操作部を軸筒の外方に突出させ、操作部を摺動体に着脱自在に装着したことにより、使用者の好みにあった筆記体に交換した際に、誤った筆記体の選択をすることなく、また操作部の形状や色柄も選択可能とした構成は開示している。
【０００３】
また、特開２００７−３８６３５号公報「多芯筆記具」では、軸筒の後端に、摺動溝を後方に開口させる開口部を設け、前記開口部から、前記摺動体を、軸筒内から取り外し可能及び軸筒内に挿入可能に、蓋体を軸筒に設けたヒンジ部等の被係合部に、回動自在に装着した構成が開示されている。
【０００４】
前述したような、スライド式の多芯筆記具において、ポケットなどへ挟着することを鑑みて、クリップを具備すること必要である。
【先行技術文献】
【特許文献】
【０００５】
【特許文献１】特開２００３−１１５８３号公報
【特許文献２】特開２００７−３８６３５号公報
【発明の開示】
【発明が解決しようとする課題】
【０００６】
ところで、近年、軸筒にスクリーン印刷やフィルム転写等により、色や図形、模様など軸筒に加飾を施すことが望まれている。しかしながら、軸筒後端部に、蓋体を係合する被係合部やクリップを一体に設けると、軸筒に加色し難いという問題があった。
【０００７】
本発明の目的は、クリップを有するスライド式の多芯筆記具において、軸筒に加飾を施しやすい構造を提供するものである。
【課題を解決するための手段】
【０００８】
上記目的を達成するために、本発明は、軸筒内に複数の筆記体をコイルスプリングにより軸筒後端方向に付勢して配設し、各筆記体の後部に連接した摺動体を、軸筒に設けた摺動溝に摺動自在に収納するとともに、前記摺動体に、前記摺動溝から外方に突出する操作部を一体に形成または付設し、前記操作部を軸筒先端方向にスライドすることにより、筆記体の筆記部の突出を維持し、前記軸筒の後端部にクリップを付設してなるスライド式の多芯筆記具において、前記軸筒の後端部、且つ前記摺動溝と周方向の異なる位置に、長手方向に沿って延びる装着溝を形成し、前記軸筒の後端に、前記装着溝の後方と連通する開口部を設け、前記開口部から、前記クリップの装着部を挿入し、前記クリップの装着部に設けた突起が、前記装着溝に設けた突起と嵌合して、前記装着溝に、クリップを装着するとともに、前記摺動溝間及び装着溝と摺動溝間の軸筒の外面が、略同一円上であり、前記装着溝が、軸線側の幅の大きい大幅部と、外面側の大幅部よりも幅の小さい小幅部と、を段状に形成してあり、前記クリップの装着部が、前記装着溝に対応して、幅の大きい大幅部と大幅部よりも幅の小さい小幅部とを段状に形成し、且つ、前記装着溝の突起が、前記装着溝の大幅部に形成してあることを特徴とする。
【０００９】
また、前記クリップにヒンジ部を形成し、該ヒンジ部に、蓋体の一端部に設けた嵌合部を係合するとともに、前記蓋体の嵌合突部を、前記軸筒の後端部に形成した嵌合凸部に、着脱自在に嵌合して前記蓋体を前記軸筒に対し回動自在に配設し、前記軸筒の後端を露出及び閉鎖可能とし、前記軸筒の後端に、前記摺動溝の後方と連通する開口部を設け、前記開口部から、前記摺動体を、軸筒内から取り外し可能及び軸筒内に挿入可能に構成にしたことを特徴とする。
【００１０】
本願発明の請求項１の構成によれば、前記軸筒の後端部、且つ前記摺動溝と周方向の異なる位置に、長手方向に沿って延びる装着溝を形成し、軸筒の後端に、前記装着溝の後方と連通する開口部を設け、前記開口部から、前記装着溝に、クリップを装着するとともに、前記摺動溝間及び装着溝と摺動溝間の軸筒の外面が、略同一円上であることで、クリップを装着前の軸筒の外面にスクリーン印刷、特にフィルム転写を行うときに、摺動溝間及び装着溝と摺動溝間の軸筒の外面に、大きな凹凸等がなく、略同一円上に位置するため、きれいに印刷や転写を行うことができる。
【００１１】
本願発明の請求項２の構成によれば、前記多芯筆記具は、蓋体を回動して軸筒後端の開口部を開けることで、ユーザーが軸筒内の筆記体を取り外して好みの筆記体に交換できると同時に、摺動体も、軸筒内から取り外してその筆記体に適正に対応したものに交換でき、筆記体と摺動体との誤った連結を防止できる。
【００１２】
また、前記クリップにヒンジ部を形成し、該ヒンジ部に、蓋体の一端部に設けた嵌合部を係合するとともに、前記蓋体の嵌合突部を、前記軸筒の後端部に形成した嵌合凸部に、着脱自在に嵌合して前記蓋体を前記軸筒に対し回動自在に配設してあるため、クリップ及び蓋体の装着前に、軸筒にスクリーン印刷やフィルム転写などの加飾を施しやすい効果を奏する。
【００１３】
尚、本発明のクリップや蓋体には、ＰＰ樹脂、ＰＯＭ樹脂、ＰＣ樹脂、ＡＢＳ樹脂等の合成樹脂材料等を用いることができる。
【発明の効果】
【００１４】
本発明は、クリップを有するスライド式の多芯筆記具において、軸筒に加飾を施しやすい構造を提供することができた。
【図面の簡単な説明】
【００１５】
【図１】実施例１の筆記具のペン先部を突出した状態を示す外観図である。
【図２】実施例１におけるペン先部没入時の蓋体を開いた状態を示す図である。
【図３】実施例１の筆記具の筆記体及び摺動体を取り外した状態を示す図である。
【図４】図３における蓋体を開いた状態を示す図である。
【図５】図３における縦断面図である。
【図６】図５における、一部省略した要部拡大縦断面図である。
【図７】図１における筆記体を示す図である。
【図８】図６におけるＡ−Ａ断面図である。
【図９】図６におけるＢ−Ｂ断面図である。
【図１０】後軸の後端側から見た斜視図である。
【図１１】クリップを下側から見た外観図である。
【発明を実施するための最良の形態】
【００１６】
次に図面を参照しながら、本発明のスライド式の多芯筆記具の実施例を説明するが、本発明は以下の実施形態に限定されるものではない。
【００１７】
実施例１
図１〜図１１に示す実施例１のスライド式の多芯筆記具１は、前軸２と後軸３を螺合により取り付けられる軸筒本体内に複数本（４本）の筆記体が前後方向に移動可能に収容されている。筆記体１４の後部には、筆記体１４のインキ収容筒１５に収容した筆記具用インキと同色の摺動体９を配設してあり、筆記体１４は、コイルスプリング１２により後方に付勢してあり、他の筆記体について詳細は図示していないが、筆記体１４と同様にして、３本の筆記体を配設した従来から知られている出没機構のスライド式の多芯筆記具である。
【００１８】
筆記体１４は、ボールペンレフィルであり、インキ収容筒１５の先端部にボールが回転可能に抱持されたペン先部１６を装着し、インキ収容筒１５の内部には、黒色の剪断減粘性を有する水性ゲルインキ及びインキ追従体を直に収容してある。図示はしていないが、他の３本の筆記体も筆記体１４と同様に、インキ収容筒の先端部にボールペンチップからなるペン先部を装着し、筆記体１４とは色の異なる水性ゲルインキ及びインキ追従体を直に収容したボールペンレフィルである。
【００１９】
後軸３の後部には、前後方向に延びる細長状の摺動溝３ｂ、３ｃ、３ｄ、３ｅが４本、形成してあり、互いに、９０度間隔に形成される。また、摺動溝３ｂ、３ｃ、３ｄ、３ｅは、後方が開口していて、後軸３の後端３ａで連通する開口部３ｂａ、３ｃａ、３ｄａ、３ｅａを有している。後軸の後端部は略円筒状であって、後軸の外面には予めフィルム転写を施してある。また、摺動溝３ｂ、３ｃ間、摺動溝３ｃ、３ｄ間及び装着溝３ｆと摺動溝３ｂ間、装着溝３ｆと摺動溝３ｅ間の後軸３の外面は略同一円上である。
【００２０】
後軸３内には、略円筒状のスプリング支持部８を固着している。スプリング支持部８は、筆記体１４等、４本の筆記体が挿通される内孔が軸方向に貫設し、スプリング支持部８と、各々の摺動体９、１０間には、コイルスプリング１２、１３が配置し、筆記体及び摺動体を後方に付勢してある。尚、図示はしていないが、他の２つの摺動体も摺動体９、１０と同様に、スプリング支持部８と、各々の摺動体間には、コイルスプリングが配置し、筆記体及び摺動体を後方に付勢してある。
【００２１】
後軸３の後部、且つ後軸３の摺動溝３ａ、３ｂ間には、長手方向に沿って延びる凹状の装着溝３ｆを形成してあり、この装着溝３ｆにクリップ７を付設してある。具体的には、装着溝３ｆも摺動溝３ａ等と同様に、後軸３の後端３ａに開口部３ｆａを有していて、開口部３ｆａと装着溝３ｆとが連通している。この装着溝３ｆに、クリップ７の後端部に形成した装着部７ｂを挿入し、後軸３の後方側から前軸２側に押し込むことで、クリップ７の装着部７ｂに設けた突起７ｃが、装着溝３ｆに設けた突起３ｆｂを乗り越える落とし込み嵌合によって、後軸３にクリップ７を固設してあり、ポケット等に挟持してもクリップ７が移動しないため、安定して挟持できる構造となっている。
【００２２】
装着溝３ｆは、軸線側の幅の大きい大幅部Ｋと、外面側の大幅部よりも幅の小さい小幅部Ｌとを段状に形成してあり、クリップ７の装着部７ｂも、装着溝３ｆに対応して、幅の大きい大幅部Ｍと大幅部よりも幅の小さい小幅部Ｎとを段状に形成してあるため、クリップ７の外面側への移動を防止することができる。また、装着溝３ｆの大幅部Ｌに突起３ｆｂを２箇所、形成し、突起３ｆｂの距離を小幅部Ｌの幅と同等以下、装着部７ｂの小幅部Ｎを装着溝３ｆの小幅部Ｍと略同幅で長手方向に形成することで、クリップ７の周方向の移動を効果的に防止することができる。
【００２３】
また、クリップ７の後部にはヒンジ部７ａを形成してあり、このヒンジ部７ａに、ポリプロピレンからなる蓋体５の一端部に設けた、クリップ７を正面から見て左右に延出する係合部５ａを係合して、蓋体５を回動自在に係合してあり、蓋体５を回動することで、後軸３の後端３ａを露出することができる。
【００２４】
また、蓋体５には、蓋体５よりも硬く、変形し難い、ポリカーボネートからなる頭冠６を装着してある。具体的には、頭冠６の一方の側壁に内外を連通する挿通穴６ａと、一方の側壁と頭冠６ａの軸線に対して対峙する他方の側壁に、内外を連通する第２挿通穴６ｂを設けてあり、蓋体５に形成した、蓋体５の軸線に対して略垂直方向に延びる挿通部５ｂを、第２挿通穴６ｂから挿通穴６ａに挿通するとともに、頭冠６に設けた突部と、蓋体５に設けた突部（図示せず）が乗り越し嵌合するまで挿入し、頭冠５の挿通部５ｂが頭冠６の挿通穴６ａ及び蓋体５の第２挿通部５ｄが頭冠６の第２挿通穴６ｂに位置した状態で、頭冠６が蓋体５を覆うように装着してある。また、蓋体５の後軸３からの開閉動作を容易にするため、挿通部５ｂの先端部は、挿通穴６ａから外方に向かって突出して取手としてある。
【００２５】
筆記体１４のボールペンチップからなるペン先部１６を前軸２の先端開口部２ａから突出させるには、摺動体９の操作部９ａを、摺動溝３ｂに沿って、前軸２の先端開口部２ａ方向へスライドすることにより、摺動体９に形成した係合突起９ｂが後軸３内に形成した係止部（図示せず）に係止して、筆記体１４のペン先部１６を前軸の先端開口部２ａから選択して突出を維持することができる。また、摺動体９には、解除突起９ｃを設けてある。
【００２６】
筆記体１４のペン先部１６が前軸の先端開口部２ａから突出を維持した状態で、他の摺動体１０の操作部１０ａを前軸２の先端開口部２ａ方向にスライドすることで、摺動体１０の解除突起が、スリーブ１１を介して摺動体９の係止を解除し、筆記体１４のペン先部１６を前軸２内に没入させることができる。
【００２７】
筆記体１４を交換するには、蓋体５が後軸３の後端３ａを閉鎖した状態から、挿通部５ｂの先端部分の取手を後方に押圧し、蓋体５の嵌合突部５ｃと後軸３の軸部３ｇの嵌合凸部３ｈとの嵌合を解除し、蓋体５を回動させ、後軸３の後端３ａを露出させる。この時、挿通部５ｂを後方に押圧しても、挿通穴６ａによって、頭冠６と蓋体５の嵌合力が低下することはない。
【００２８】
蓋体５を回動し、後軸３の後端３ａが露出すると、摺動溝３ｂ、３ｃ、３ｄ、３ｅから各々の摺動体９、１０（その他図示せず）が、コイルスプリング１２、１３（その他図示せず）の後方付勢により後方外部に突出される。この状態から摺動体９を取り出すことにより、その摺動体９と互いに連結状態にある筆記体１４を後軸３から取り出し、その後、互いに連結状態にある新たな筆記体（図示せず）と新たな摺動体とを後端が開口した摺動溝３ｂから後軸３内に挿入する。そして、蓋体５を前方に回動させ、その後、蓋体５の嵌合突部５ｃと後軸３の嵌合凸部３ｈと嵌合して、後軸３の後端３ａを閉鎖する。これにより、筆記体及び摺動体の交換作業が終了するため、ユーザーが好みの筆記体とそれに対応した摺動体を軸筒内に交換可能に収容でき、しかも、筆記体及び摺動体を迅速且つ確実に交換することができる。
【００２９】
本実施例では、便宜上、蓋体を回動し、後軸の後端が露出して、筆記体及び摺動体を交換可能としてあるが、蓋体を回動し、後軸の後端を露出して、鉛芯を充填するなど、蓋体の回動によって後軸の後端が露出する構造であれば特に限定されるものでなく、蓋体を紛失することなく筆記体の交換作業や鉛芯の充填をすることができる。また、筆記体には、例えば、ボールペン、マーキングペン、シャープペンシル等が挙げられる。また、筆記体の本数は、２本以上であればよく、具体的には、２本、３本、４本、５本、６本等が挙げられる。
【００３０】
また本実施例では、便宜上、摺動溝を９０度間隔に形成してあるが、筆記体の数などに応じて、１２０度、１８０度間隔など、特に限定されるものではないが、摺動溝の軸筒との縁部及び装着溝の軸筒との縁部が、長手方向において、前記軸筒の軸心と平行に延びていると、円筒体の軸筒の外面にスクリーン印刷、特にフィルム転写を行うときに、摺動溝の軸筒との縁部及び装着溝の縁部まできれいに印刷や転写を行うことができるので好ましい。
【産業上の利用可能性】
【００３１】
本発明の多芯筆記具は、インキの種類に限定されることなく、スライド式の多芯筆記具として広く実施可能である。
【符号の説明】
【００３２】
１  スライド式の多芯筆記具
２  前軸
２ａ  先端開口部
３  後軸
３ａ  後端
３ｂ、３ｃ、３ｄ、３ｅ  摺動溝
３ｂａ、３ｃａ、３ｄａ、３ｅａ  開口部
３ｆ  装着溝
３ｆａ  開口部
３ｆｂ  突起
３ｈ  嵌合凸部
５  蓋体
５ａ  嵌合部
５ｂ  挿通部
５ｃ  嵌合突部
５ｄ  第２挿通部
６  頭冠
６ａ  挿通穴
６ｂ  第２挿通穴
７  クリップ
７ａ  ヒンジ部
７ｂ  装着部
７ｃ  突起
８  スプリング支持部
９、１０  摺動体
９ａ、１０ａ  操作部
１１  スリーブ
１２、１３  コイルスプリング
１４  筆記体
１５  インキ収容筒
１６  ペン先部
【図１】
0005750307.tif 000002
【図２】
0005750307.tif 000003
【図３】
0005750307.tif 000004
【図４】
0005750307.tif 000005
【図５】
0005750307.tif 000006
【図６】
0005750307.tif 000007
【図７】
0005750307.tif 000008
【図８】
0005750307.tif 000009
【図９】
0005750307.tif 000010
【図１０】
0005750307.tif 000011
【図１１】
0005750307.tif 000012